(57)【要約】【課題】ＩＳＤＢ−Ｔ方式と比べて多数の伝送パラメータを送信すること。【解決手段】本発明に係る送信装置１は、同期ビット及びＴＭＣＣ情報ビットを含むＴＭＣＣ信号を生成するように構成されているＴＭＣＣ信号生成部１３と、ＯＦＤＭフレームを構成する際にセグメントの１つに複数のＴＭＣＣ信号を挿入するように構成されているＯＦＤＭフレーム構成部１４ａ、１４ｂとを具備しており、複数のＴＭＣＣ信号の各々は、異なるＴＭＣＣ情報ビットを含むように構成されている。【選択図】図１
2019036934.tif 000002
【特許請求の範囲】
【請求項１】
複数のキャリアからなる複数のセグメントを含むＯＦＤＭ信号によって複数の階層データを送信するように構成されている送信装置であって、
同期ビット及びＴＭＣＣ情報ビットを含むＴＭＣＣ信号を生成するように構成されているＴＭＣＣ信号生成部と、
ＯＦＤＭフレームを構成する際に前記セグメントの１つに複数の前記ＴＭＣＣ信号を挿入するように構成されているＯＦＤＭフレーム構成部とを具備しており、
前記複数のＴＭＣＣ信号の各々は、異なる前記ＴＭＣＣ情報ビットを含むように構成されていることを特徴とする送信装置。
【請求項２】
前記セグメントの１つに２個の前記同期ビットが含まれるように構成されており、
前記２個の同期ビットは同一となるように構成されていることを特徴とする請求項１に記載の送信装置。
【請求項３】
部分受信帯域内の前記ＴＭＣＣ信号に含まれる前記ＴＭＣＣ情報ビットは、非部分受信帯域内の前記ＴＭＣＣ信号に含まれる前記ＴＭＣＣ情報ビットと異なるように構成されていることを特徴とする請求項１又は２に記載の送信装置。
【請求項４】
全ての帯域内の前記ＴＭＣＣ信号に含まれる前記ＴＭＣＣ情報ビットは同一となるように構成されていることを特徴とする請求項１又は２に記載の送信装置。
【請求項５】
前記ＯＦＤＭフレーム構成部は、ＦＦＴサイズが８ｋのとき、１セグメント当たり２本のＴＭＣＣ信号を挿入し、前記ＦＦＴサイズが１６ｋのとき、１セグメント当たり４本のＴＭＣＣ信号を挿入し、前記ＦＦＴサイズが３２ｋのとき、１セグメント当たり８本のＴＭＣＣ信号を挿入するように構成されていることを特徴とする請求項１〜４のいずれか一項に記載の送信装置。
【請求項６】
前記部分受信帯域内の前記ＴＭＣＣ信号に含まれる前記ＴＭＣＣ情報ビットは、第１階層データに対して用いられる部分受信インターリーブの種類を示す部分受信インターリーブを送信するように構成されており、
前記部分受信インターリーブは、キャリア単位インターリーブ及びセグメント単位インターリーブのいずれかを示すことを特徴とする請求項３に記載の送信装置。
【請求項７】
複数のキャリアからなる複数のセグメントを含むＯＦＤＭ信号によって複数の階層データを送信するように構成されている送信装置であって、
同期ビット及びＴＭＣＣ情報ビットを含むＴＭＣＣ信号を生成するように構成されているＴＭＣＣ信号生成部と、
ＯＦＤＭフレームを構成する際に前記セグメントの１つに複数の前記ＴＭＣＣ信号を挿入するように構成されているＯＦＤＭフレーム構成部とを具備しており、
前記複数のＴＭＣＣ信号の各々は、同じ前記ＴＭＣＣ情報ビットを含むように構成されていることを特徴とする送信装置。
【請求項８】
前記ＴＭＣＣ信号のシンボルの電力は、キャリアシンボルの電力よりも高いレベルにブーストして伝送することを特徴とする請求項６又は７に記載の送信装置。
【請求項９】
前記ＴＭＣＣ信号のシンボルの電力と前記キャリアシンボルの電力とのブースト比は、１．９９であることを特徴とする請求項８に記載の送信装置。
【請求項１０】
複数のキャリアからなる複数のセグメントを介して複数の階層データをＯＦＤＭ通信方式により受信するように構成されている受信装置であって、
ＯＦＤＭフレームを構成する前記セグメントの１つから複数のＴＭＣＣ信号を抽出するように構成されているＴＭＣＣ信号抽出部と、
前記複数のＴＭＣＣ信号の各々から異なるＴＭＣＣ情報ビットを抽出するように構成されているＴＭＣＣ情報ビット抽出部とを具備することを特徴とする受信装置。
【請求項１１】
部分受信帯域内の前記ＴＭＣＣ信号に含まれる前記ＴＭＣＣ情報ビットは、非部分受信帯域内の前記ＴＭＣＣ信号に含まれる前記ＴＭＣＣ情報ビットと異なるように構成されていることを特徴とする請求項１０に記載の受信装置。
【請求項１２】
全ての帯域内の前記ＴＭＣＣ信号に含まれる前記ＴＭＣＣ情報ビットは同一となるように構成されていることを特徴とする請求項１０に記載の受信装置。
【請求項１３】
前記ＴＭＣＣ信号抽出部は、ＦＦＴサイズが８ｋのとき、１セグメント当たり２本のＴＭＣＣ信号を抽出し、前記ＦＦＴサイズが１６ｋのとき、１セグメント当たり４本のＴＭＣＣ信号を抽出し、前記ＦＦＴサイズが３２ｋのとき、１セグメント当たり８本のＴＭＣＣ信号を抽出するように構成されていることを特徴とする請求項１０〜１２のいずれか一項に記載の受信装置。
【請求項１４】
前記部分受信帯域内の前記ＴＭＣＣ信号に含まれる前記ＴＭＣＣ情報ビットは、第１階層データに対して用いられる部分受信インターリーブの種類を示す部分受信インターリーブを送信するように構成されており、
前記部分受信インターリーブは、キャリア単位インターリーブ及びセグメント単位インターリーブのいずれかを示すことを特徴とする請求項１１に記載の受信装置。
【請求項１５】
複数のキャリアからなる複数のセグメントを介して複数の階層データをＯＦＤＭ通信方式により受信するように構成されている受信装置であって、
ＯＦＤＭフレームを構成する前記セグメントの１つから複数のＴＭＣＣ信号を抽出するように構成されているＴＭＣＣ信号抽出部と、
前記複数のＴＭＣＣ信号の各々から同じＴＭＣＣ情報ビットを抽出するように構成されているＴＭＣＣ情報ビット抽出部とを具備することを特徴とする受信装置。
【請求項１６】
前記ＴＭＣＣ信号のシンボルの電力は、キャリアシンボルの電力よりも高いレベルにブーストして伝送されることを特徴とする請求項１４又は１５に記載の受信装置。
【請求項１７】
前記ＴＭＣＣ信号のシンボルの電力と前記キャリアシンボルの電力とのブースト比は、１．９９であることを特徴とする請求項１６に記載の受信装置。
【請求項１８】
コンピュータを、請求項１〜９のいずれか一項に記載の送信装置として機能させるためのプログラムを実行するプロセッサによって構成されるチップ。
【請求項１９】
コンピュータを、請求項１０〜１７のいずれか一項に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在の日本における地上デジタル放送伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）方式では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームにおいて、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号を送信するためのキャリアに対して、ＯＦＤＭシンボル方向にＴＭＣＣ信号を割り当てて伝送するように構成されている（非特許文献１参照）。
【０００３】
なお、ＴＭＣＣ信号は、同期ビットやＴＭＣＣ情報ビット等を含む制御情報である。
【０００４】
また、ＩＳＤＢ−Ｔ方式では、ＴＭＣＣに対する変調方式としてＢＰＳＫが用いられ、１ＯＦＤＭフレームを２０４個のＯＦＤＭシンボルによって構成していることから、２０４ビットの信号（フレーム同期ビットや誤り訂正符号のパリティ等を含む）でＴＭＣＣ信号を伝送するように構成されている。
【先行技術文献】
【非特許文献】
【０００５】
【非特許文献１】ＡＲＩＢ  ＳＴＤ−Ｂ３１、「地上デジタルテレビジョン放送の伝送方式」
【非特許文献２】Ｔ．Ｓｈｉｔｏｎｅ他、「Ａ  Ｓｔｕｄｙ  ｏｎ  Ａｄｖａｎｃｅｄ  Ｓｉｎｇｌｅ  Ｆｒｅｑｕｅｎｃｙ  Ｎｅｔｗｏｒｋ  Ｔｅｃｈｎｏｌｏｇｙ  Ｕｓｉｎｇ  ＳＴＣ−ＳＤＭ  Ｔｒａｎｓｍｉｓｓｉｏｎ」、ＩＥＥＥ  ＢＭＳＢ、ｍｍ１３−１３６、２０１３年
【発明の概要】
【発明が解決しようとする課題】
【０００６】
一方、次世代の地上デジタル放送伝送方式では、伝送容量の拡大のために、変調方式として多値化やＭＩＭＯ伝送方式の導入が検討されている（非特許文献２参照）。
【０００７】
その結果、ＩＳＤＢ−Ｔ方式と比べると、ＴＭＣＣ信号によって送信すべき伝送パラメータの数が飛躍的に増加することが想定されるが、ＩＳＤＢ−Ｔ方式と同様の伝送方法では、かかる伝送パラメータを送信することができないという問題点があった。
【０００８】
そこで、本発明は、上述した課題を解決するためになされたものであり、ＩＳＤＢ−Ｔ方式と比べて多数の伝送パラメータを送信することができる送信装置、受信装置及びチップを提供することを目的とする。
【課題を解決するための手段】
【０００９】
本発明の第１の特徴は、複数のキャリアからなる複数のセグメントを含むＯＦＤＭ信号によって複数の階層データを送信するように構成されている送信装置であって、同期ビット及びＴＭＣＣ情報ビットを含むＴＭＣＣ信号を生成するように構成されているＴＭＣＣ信号生成部と、ＯＦＤＭフレームを構成する際に前記セグメントの１つに複数の前記ＴＭＣＣ信号を挿入するように構成されているＯＦＤＭフレーム構成部とを具備しており、前記複数のＴＭＣＣ信号の各々は、異なる前記ＴＭＣＣ情報ビットを含むように構成されていることを要旨とする。
【００１０】
本発明の第２の特徴は、複数のキャリアからなる複数のセグメントを含むＯＦＤＭ信号によって複数の階層データを送信するように構成されている送信装置であって、同期ビット及びＴＭＣＣ情報ビットを含むＴＭＣＣ信号を生成するように構成されているＴＭＣＣ信号生成部と、ＯＦＤＭフレームを構成する際に前記セグメントの１つに複数の前記ＴＭＣＣ信号を挿入するように構成されているＯＦＤＭフレーム構成部とを具備しており、前記複数のＴＭＣＣ信号の各々は、同じ前記ＴＭＣＣ情報ビットを含むように構成されていることを要旨とする。
【００１１】
本発明の第３の特徴は、複数のキャリアからなる複数のセグメントを含むＯＦＤＭ信号を介して複数の階層データを受信するように構成されている受信装置であって、ＯＦＤＭフレームを構成する前記セグメントの１つから複数のＴＭＣＣ信号を抽出するように構成されているＴＭＣＣ信号抽出部と、前記複数のＴＭＣＣ信号の各々から異なるＴＭＣＣ情報ビットを抽出するように構成されているＴＭＣＣ情報ビット抽出部とを具備することを要旨とする。
【００１２】
本発明の第４の特徴は、複数のキャリアからなる複数のセグメントを介して複数の階層データをＯＦＤＭ通信方式により受信するように構成されている受信装置であって、ＯＦＤＭフレームを構成する前記セグメントの１つから複数のＴＭＣＣ信号を抽出するように構成されているＴＭＣＣ信号抽出部と、前記複数のＴＭＣＣ信号の各々から同じＴＭＣＣ情報ビットを抽出するように構成されているＴＭＣＣ情報ビット抽出部とを具備することを要旨とする。
【００１３】
本発明の第５の特徴は、コンピュータを、上述の第１の特徴に記載の送信装置として機能させるためのプログラムを実行するプロセッサによって構成されるチップであることを要旨とする。
【００１４】
本発明の第６の特徴は、コンピュータを、上述の第２の特徴に記載の受信装置として機能させるためのプログラムを実行するプロセッサによって構成されるチップであることを要旨とする。
【発明の効果】
【００１５】
本発明によれば、ＩＳＤＢ−Ｔ方式と比べて多数の伝送パラメータを送信することができる送信装置、受信装置及びチップを提供することができる。
【図面の簡単な説明】
【００１６】
【図１】図１は、第１の実施形態に係る送信装置１の機能ブロック図の一例である。
【図２】図２は、第１の実施形態に係る送信装置１のＴＭＣＣ情報ビット生成部１１の機能ブロック図の一例（ＦＦＴサイズ＝８ｋポイント）である。
【図３】図３は、第１の実施形態に係る送信装置１のＴＭＣＣ情報ビット生成部１１のインターリーブ部１１ｄによって施されるインターリーブの一例を説明するための図である。
【図４】図４は、第１の実施形態に係る送信装置１のＴＭＣＣ信号生成部１３によって生成されるＴＭＣＣ信号の一例（ＦＦＴサイズ＝８ｋポイント）である。
【図５】図５は、第１の実施形態に係る送信装置１のＴＭＣＣ情報ビット生成部１１の機能ブロック図の一例（ＦＦＴサイズ＝１６ｋポイント）である。
【図６】図６は、第１の実施形態に係る送信装置１のＴＭＣＣ信号生成部１３によって生成されるＴＭＣＣ信号の一例（ＦＦＴサイズ＝１６ｋポイント）である。
【図７】図７は、第１の実施形態に係る送信装置１のＴＭＣＣ情報ビット生成部１１の機能ブロック図の一例（ＦＦＴサイズ＝３２ｋポイント）である。
【図８】図８は、第１の実施形態に係る送信装置１のＴＭＣＣ信号生成部１３によって生成されるＴＭＣＣ信号の一例（ＦＦＴサイズ＝３２ｋポイント）である。
【図９】図９は、第１の実施形態に係る受信装置３の機能ブロック図の一例である。
【図１０】図１０は、変更例１に係る放送システムについて説明するための図である。
【図１１】図１１は、変更例１に係る放送システムについて説明するための図である。
【図１２】図１２は、変更例２に係る送信装置１のＴＭＣＣ情報ビット生成部１１によって生成されるＴＭＣＣ情報ビットの一例を説明するための図である。
【図１３】図１３は、変更例２に係る送信装置１のＴＭＣＣ情報ビット生成部１１によって生成されるＴＭＣＣ情報ビットの一例を説明するための図である。
【図１４】図１４は、変更例２に係る送信装置１のＴＭＣＣ情報ビット生成部１１によって生成されるＴＭＣＣ情報ビットの一例を説明するための図である。
【図１５】図１５は、変更例２に係る送信装置１のＴＭＣＣ情報ビット生成部１１によって生成されるＴＭＣＣ情報ビットの一例を説明するための図である。
【図１６】図１６は、変更例２に係る送信装置１のＴＭＣＣ情報ビット生成部１１によって生成されるＴＭＣＣ情報ビットの一例を説明するための図である。
【図１７】図１７は、変更例２に係る送信装置１のＴＭＣＣ情報ビット生成部１１によって生成されるＴＭＣＣ情報ビットの一例を説明するための図である。
【図１８】図１８は、変更例２に係る送信装置１のＴＭＣＣ情報ビット生成部１１によって生成されるＴＭＣＣ情報ビットの一例を説明するための図である。
【図１９】図１９は、変更例２に係る送信装置１のＴＭＣＣ情報ビット生成部１１によって生成されるＴＭＣＣ情報ビットの一例を説明するための図である。
【図２０】図２０は、変更例２に係る送信装置１のＴＭＣＣ情報ビット生成部１１によって生成されるＴＭＣＣ情報ビットの一例を説明するための図である。
【図２１】図２１は、変更例２に係る送信装置１のＴＭＣＣ情報ビット生成部１１によって生成されるＴＭＣＣ情報ビットの一例を説明するための図である。
【図２２】図２２は、変更例２に係る送信装置１のＴＭＣＣ情報ビット生成部１１によって生成されるＴＭＣＣ情報ビットの一例を説明するための図である。
【図２３】図２３は、変更例２に係る送信装置１のＴＭＣＣ情報ビット生成部１１によって生成されるＴＭＣＣ情報ビットの一例を説明するための図である。
【図２４】図２４は、変更例２に係る送信装置１のＴＭＣＣ情報ビット生成部１１によって生成されるＴＭＣＣ情報ビットの一例を説明するための図である。
【図２５】図２５は、変更例２に係る送信装置１のＴＭＣＣ情報ビット生成部１１によって生成されるＴＭＣＣ情報ビットの一例を説明するための図である。
【図２６】図２６は、変更例２に係る送信装置１のＴＭＣＣ情報ビット生成部１１によって生成されるＴＭＣＣ情報ビットの一例を説明するための図である。
【図２７】図２７は、変更例２に係る送信装置１のＴＭＣＣ情報ビット生成部１１によって生成されるＴＭＣＣ情報ビットの一例を説明するための図である。
【図２８】図２８は、変更例２に係る送信装置１のＴＭＣＣ情報ビット生成部１１によって生成されるＴＭＣＣ情報ビットの一例を説明するための図である。
【図２９】図２９は、変更例２に係る送信装置１のＴＭＣＣ情報ビット生成部１１によって生成されるＴＭＣＣ情報ビットの一例を説明するための図である。
【図３０】図３０は、変更例２に係る送信装置１のＴＭＣＣ情報ビット生成部１１によって生成されるＴＭＣＣ情報ビットの一例を説明するための図である。
【図３１】図３１は、変更例２に係る送信装置１のＴＭＣＣ情報ビット生成部１１によって生成されるＴＭＣＣ情報ビットの一例を説明するための図である。
【図３２】図３２は、変更例２に係る送信装置１のＴＭＣＣ情報ビット生成部１１によって生成されるＴＭＣＣ情報ビットの一例を説明するための図である。
【発明を実施するための形態】
【００１７】
（第１の実施形態）
以下、図１〜図９を参照して、本発明の第１の実施形態に係る放送システム１について説明する。本実施形態に係る放送システムは、上述の次世代の地上デジタル放送伝送方式に対応するように構成されており、例えば、図１に示す送信装置１及び図９に示す受信装置３を具備する。
【００１８】
例えば、本実施形態に係る送信装置１は、３階層までの階層伝送を行うように構成されている。具体的には、本実施形態に係る送信装置１は、複数のキャリアからなる複数のセグメントを含むＯＦＤＭ信号によって、Ａ階層データ、Ｂ階層データ及びＣ階層データを送信することができるように構成されている。例えば、Ａ階層データは、移動受信向けの放送用データであり、Ｂ階層データは、固定受信向けの放送用データであることが想定されている。
【００１９】
例えば、本実施形態に係る送信装置１は、図１に示すように、ＴＭＣＣ情報ビット生成部１１と、同期ビット生成部１２と、ＴＭＣＣ信号生成部１３と、ＯＦＤＭフレーム構成部１４ａ、１４ｂと、送信部１５ａ、１５ｂとを具備している。本実施形態では、ＯＦＤＭ信号が２系統で送信される例について説明するが、本発明は、かかる例に限定されるものではない。
【００２０】
ＴＭＣＣ情報ビット生成部１１は、ＴＭＣＣ情報ビットを生成するように構成されており、同期ビット生成部１２は、同期ビットを生成するように構成されており、ＴＭＣＣ信号生成部１３は、同期ビット及びＴＭＣＣ情報ビットを含むＴＭＣＣ信号を生成するように構成されている。
【００２１】
また、ＯＦＤＭフレーム構成部１４ａ、１４ｂは、ＴＭＣＣ信号や部分受信帯域データや非部分受信帯域データや拡張帯域データ等を含むＯＦＤＭフレームを生成するように構成されている。
【００２２】
次世代の地上デジタル放送伝送方式では、１チャネルが３３個のセグメントによって構成されているノーマルモード（或いは、調整モード）及び１チャネルが３５個のセグメントによって構成されている拡張モードが規定されている。
【００２３】
ここで、次世代の地上デジタル放送伝送方式では、１チャネル内の中央の９個のセグメントからなる部分受信帯域において部分受信帯域データが送信されるように規定されており、かかる部分受信帯域の両外側に配置された２４個（拡張モードの場合は２６個）のセグメントからなる非部分受信帯域において非部分受信帯域データが送信されるように規定されている。
【００２４】
また、次世代の地上デジタル放送伝送方式において、拡張モードの場合には、かかる非部分受信帯域の両外側に配置された２個のセグメントからなる拡張帯域において拡張帯域データが送信されるように規定されている。なお、上述のＴＭＣＣ信号は、かかる拡張帯域では送信されないように規定されている。
【００２５】
送信部１５ａ、１５ｂは、ＯＦＤＭフレームから得られたＯＦＤＭ信号を送信するように構成されている。例えば、送信部１５ａ、１５ｂは、ＯＦＤＭフレーム構成部１４ａ、１４ｂによって生成されたＯＤＦＭフレームに対して、ＩＦＦＴ（Ｉｎｖｅｒｓｅ  Ｆａｓｔ  Ｆｏｕｒｉｅｒ  Ｔｒａｎｓｆｏｒｍ）を施し、ガードインターバルを付与し、直交変調を施し、デジタルアナログ変換を施し、フィルタリングを施し、電力増幅を施すように構成されている。
【００２６】
以下、図２〜図４を参照して、ＦＦＴ（Ｆａｓｔ  Ｆｏｕｒｉｅｒ  Ｔｒａｎｓｆｏｒｍ）サイズが８ｋポイント（８，１９２ポイント）である場合の構成について説明し、図５及び図６を参照して、ＦＦＴサイズが１６ｋポイント（１６，３８４ポイント）である場合の構成について説明し、図７及び図８を参照して、ＦＦＴサイズが３２ｋポイント（３２，７６８ポイント）である場合の構成について説明する。
【００２７】
＜ＦＦＴサイズが８ｋポイントである例＞
図２に示すように、ＴＭＣＣ情報ビット生成部１１は、分離部１１ａと、差集合巡回符号化部１１ｂ、１１ｃと、インターリーブ部１１ｄとを具備している。
【００２８】
図２に示すように、分離部１１ａは、入力された２４４ビットのＴＭＣＣ情報ビットＡ０〜Ａ２４３を分離し、ＴＭＣＣ情報ビットＡ０〜Ａ１２１を差集合巡回符号化部１１ｂに入力し、ＴＭＣＣ情報ビットＡ１２２〜Ａ２４３を差集合巡回符号化部１１ｃに入力するように構成されている。
【００２９】
差集合巡回符号化部１１ｂは、入力されたＴＭＣＣ情報ビットＡ０〜Ａ１２１に対して、差集合巡回符号を用いて誤り訂正符号化を施すように構成されており、差集合巡回符号化部１１ｃは、入力されたＴＭＣＣ情報ビットＡ１２２〜Ａ２４３に対して、差集合巡回符号を用いて誤り訂正符号化を施すように構成されている。
【００３０】
インターリーブ部１１ｄは、差集合巡回符号化部１１ｂから入力された誤り訂正符号化済みのＴＭＣＣ情報ビットＢ０，０〜Ｂ０，２０３及び集合巡回符号化部１１ｃから入力された誤り訂正符号化済みのＴＭＣＣ情報ビットＢ１，０〜Ｂ１，２０３に対してインターリーブを施すように構成されている。
【００３１】
図３に、かかるインターリーブの方法について示す。図３に示すように、インターリーブ部１１ｄは、誤り訂正符号化済みのＴＭＣＣ情報ビットＢ０，０〜Ｂ１，２０３について１ビットごとにＴＭＣＣ情報ビット１、２に振り分けるように構成されている。
【００３２】
図４に、ＴＭＣＣ情報ビット生成部１１によって生成されたＴＭＣＣ信号１、２の一例を示す。図４に示すように、ＴＭＣＣ信号１、２は、１ビットの差動復調の基準ビットと、１６ビットの同期ビットと、２０４ビットのＴＭＣＣ情報ビット１、２とを有しており、ＴＭＣＣ情報ビット１、２の後に、３ビットのＮＵＬＬが付加されている。ここで、ＴＭＣＣ信号１、２のフレーム長は、それぞれ２２４ビット（２２４シンボル）である。なお、ＴＭＣＣ信号１、２は、ＤＢＰＳＫ変調で送信されることから、１シンボルは、１ビットに対応する。
【００３３】
なお、ＦＦＴサイズが８ｋポイントである場合には、ＯＦＤＭフレーム構成部１４ａ、１４ｂは、ＯＦＤＭフレームを構成する際に１個のセグメントに複数（本例では２個）のＴＭＣＣ信号１、２を挿入するように構成されている。
【００３４】
ここで、複数のＴＭＣＣ信号の各々、すなわち、ＴＭＣＣ信号１、２は、異なるＴＭＣＣ情報ビット１及び２を含むように構成されている。
【００３５】
具体的には、図４に示すように、ＴＭＣＣ情報ビット１に含まれている情報（ＴＭＣＣ情報ビットＢ０，０〜Ｂ１，２０２）とＴＭＣＣ情報ビット２に含まれている情報（ＴＭＣＣ情報ビットＢ０，１〜Ｂ１，２０３）とが異なるように構成されている。
【００３６】
すなわち、ＦＦＴサイズが８Ｋポイント（８，１９２ポイント）である場合、１セグメント当たり２本のＴＭＣＣ信号１、２が伝送される。
【００３７】
一方、ＦＦＴサイズが８ｋポイントである場合には、図４に示すように、ＴＭＣＣ信号１、２が含まれているセグメントに、２個の同一の同期ビット（１６ビット）が含まれるように構成されている。
【００３８】
すなわち、ＴＭＣＣ信号１に含まれる同期ビット（１６ビット）とＴＭＣＣ信号２に含まれる同期ビット（１６ビット）とが同一になるように構成されている。
【００３９】
＜ＦＦＴサイズが１６ｋポイントである例＞
以下、ＦＦＴサイズが１６ｋポイントである例について、ＦＦＴサイズが８ｋポイントである例との相違点に着目して説明する。
【００４０】
図５に示すように、インターリーブ部１１ｄは、誤り訂正符号化済みのＴＭＣＣ情報ビットＢ０，０〜Ｂ１，２０３について１ビットごとにＴＭＣＣ情報ビット１〜４に振り分けるように構成されている。
【００４１】
図６に、ＴＭＣＣ情報ビット生成部１１によって生成されたＴＭＣＣ信号１〜４の一例を示す。図６に示すように、ＴＭＣＣ信号１〜４のそれぞれは、１ビットの差動復調の基準ビットと、８ビットの同期ビットと、１０２ビットのＴＭＣＣ情報ビット１〜４とを有しており、ＴＭＣＣ情報ビット１〜４の後に、１ビットのＮＵＬＬが付加されている。ここで、ＴＭＣＣ信号１〜４のフレーム長は、それぞれ１１２ビット（１１２シンボル）である。なお、ＴＭＣＣ信号１〜４は、ＤＢＰＳＫ変調で送信されることから、１シンボルは、１ビットに対応する。
【００４２】
なお、ＦＦＴサイズが１６ｋポイントである場合には、ＯＦＤＭフレーム構成部１４ａ、１４ｂは、ＯＦＤＭフレームを構成する際に１個のセグメントに複数（本例では４個）のＴＭＣＣ信号１〜４を挿入するように構成されている。
【００４３】
ここで、複数のＴＭＣＣ信号の各々、すなわち、ＴＭＣＣ信号１〜４は、異なるＴＭＣＣ情報ビット１〜４を含むように構成されている。
【００４４】
具体的には、図６に示すように、ＴＭＣＣ情報ビット１に含まれている情報（ＴＭＣＣ情報ビットＢ０，０〜Ｂ１，２００）とＴＭＣＣ情報ビット２に含まれている情報（ＴＭＣＣ情報ビットＢ０，１〜Ｂ１，２０１）とＴＭＣＣ情報ビット３に含まれている情報（ＴＭＣＣ情報ビットＢ０，２〜Ｂ１，２０２）とＴＭＣＣ情報ビット４に含まれている情報（ＴＭＣＣ情報ビットＢ０，３〜Ｂ１，２０３）とがそれぞれ異なるように構成されている。
【００４５】
すなわち、ＦＦＴサイズが１６ｋポイント（１６，３８４ポイント）である場合、１セグメント当たり４本のＴＭＣＣ信号１〜４が伝送される。
【００４６】
一方、ＦＦＴサイズが１６ｋポイントである場合には、図６に示すように、ＴＭＣＣ信号１〜４が含まれているセグメントに、２個の同一の同期ビット（１６ビット）が含まれるように構成されている。
【００４７】
一方の同期ビット（１６ビット）は、ＴＭＣＣ信号１、２に跨がって挿入されており（ＴＭＣＣ信号１に８ビットとＴＭＣＣ信号２に８ビットという形態で）、他方の同期ビット（１６ビット）は、ＴＭＣＣ信号３、４に跨がって挿入されている（ＴＭＣＣ信号３に８ビットとＴＭＣＣ信号４に８ビットという形態で）。すなわち、ＴＭＣＣ信号１、２に跨がって挿入されている同期ビット（１６ビット）とＴＭＣＣ信号３、４に跨がって挿入されている同期ビット（１６ビット）とが同一になるように構成されている。
【００４８】
＜ＦＦＴサイズが３２ｋポイントである例＞
以下、ＦＦＴサイズが３２ｋポイントである例について、ＦＦＴサイズが８ｋポイントである例との相違点に着目して説明する。
【００４９】
図７に示すように、インターリーブ部１１ｄは、誤り訂正符号化済みのＴＭＣＣ情報ビットＢ０，０〜Ｂ１，２０３について１ビットごとにＴＭＣＣ情報ビット１〜８に振り分けるように構成されている。
【００５０】
図８に、ＴＭＣＣ情報ビット生成部１１によって生成されたＴＭＣＣ信号１〜８の一例を示す。図８に示すように、ＴＭＣＣ信号１〜８のそれぞれは、１ビットの差動復調の基準ビットと、４ビットの同期ビットと、５１ビットのＴＭＣＣ情報ビット１〜８とを有している。ここで、ＴＭＣＣ信号１〜８のフレーム長は、それぞれ５６ビット（５６シンボル）である。なお、ＴＭＣＣ信号１〜８は、ＤＢＰＳＫ変調で送信されることから、１シンボルは、１ビットに対応する。
【００５１】
なお、ＦＦＴサイズが３２ｋポイントである場合には、ＯＦＤＭフレーム構成部１４ａ、１４ｂは、ＯＦＤＭフレームを構成する際に１個のセグメントに複数（本例では８個）のＴＭＣＣ信号１〜８を挿入するように構成されている。
【００５２】
ここで、複数のＴＭＣＣ信号の各々、すなわち、ＴＭＣＣ信号１〜８は、異なるＴＭＣＣ情報ビット１〜８を含むように構成されている。
【００５３】
具体的には、図８に示すように、ＴＭＣＣ情報ビット１に含まれている情報（ＴＭＣＣ情報ビットＢ０，０〜Ｂ１，１９６）とＴＭＣＣ情報ビット２に含まれている情報（ＴＭＣＣ情報ビットＢ０，１〜Ｂ１，１９７）とＴＭＣＣ情報ビット３に含まれている情報（ＴＭＣＣ情報ビットＢ０，２〜Ｂ１，１９８）とＴＭＣＣ情報ビット４に含まれている情報（ＴＭＣＣ情報ビットＢ０，３〜Ｂ１，１９９）とＴＭＣＣ情報ビット５に含まれている情報（ＴＭＣＣ情報ビットＢ０，４〜Ｂ１，２００）とＴＭＣＣ情報ビット６に含まれている情報（ＴＭＣＣ情報ビットＢ０，５〜Ｂ１，２０１）とＴＭＣＣ情報ビット７に含まれている情報（ＴＭＣＣ情報ビットＢ０，６〜Ｂ１，２０２）とＴＭＣＣ情報ビット４に含まれている情報（ＴＭＣＣ情報ビットＢ０，７〜Ｂ１，２０３）とがそれぞれ異なるように構成されている。
【００５４】
すなわち、ＦＦＴサイズが３２ｋポイント（３２，７６８ポイント）である場合、１セグメント当たり８本のＴＭＣＣ信号１〜８が伝送される。
【００５５】
一方、ＦＦＴサイズが３２ｋポイントである場合には、図８に示すように、ＴＭＣＣ信号１〜８が含まれているセグメントに、２個の同一の同期ビット（１６ビット）が含まれるように構成されている。
【００５６】
一方の同期ビット（１６ビット）は、ＴＭＣＣ信号１〜４に跨がって挿入されており（ＴＭＣＣ信号１〜４のそれぞれに８ビットという形態で）、他方の同期ビット（１６ビット）は、ＴＭＣＣ信号５〜８に跨がって挿入されている（ＴＭＣＣ信号５〜８のそれぞれに８ビットという形態で）。すなわち、ＴＭＣＣ信号１〜４に跨がって挿入されている同期ビット（１６ビット）とＴＭＣＣ信号５〜８に跨がって挿入されている同期ビット（１６ビット）とが同一になるように構成されている。
【００５７】
本実施形態に係る受信装置３は、複数のキャリアからなる複数のセグメントを含むＯＦＤＭ信号を介して、３階層までの階層伝送によって送信されたＡ階層データ、Ｂ階層データ及びＣ階層データを受信することができるように構成されている。
【００５８】
なお、本実施形態に係る受信装置３は、Ａ階層データ、Ｂ階層データ及びＣ階層データを、上述の部分受信帯域データ及び非部分受信帯域データを含むＯＦＤＭ信号によって受信するように構成されている。
【００５９】
本実施形態に係る受信装置３は、図９に示すように、受信部３１と、デフレーム化部３２と、ＴＭＣＣ信号抽出部３３と、フレーム同期部３４と、ＴＭＣＣ情報ビット抽出部３５とを具備している。
【００６０】
受信部３１は、上述のＯＦＤＭ信号を受信するように構成されている。具体的には、受信部３１は、受信したＯＦＤＭ信号に対して、電力増幅を施し、デフィルタリングを施し、アナログデジタル変換を施し、逆直交変調を施し、ガードインターバルを除去し、ＦＦＴを施すことによって、ＯＤＦＭフレームを取得するように構成されている。
【００６１】
デフレーム化部３２は、ＯＤＦＭフレームから、ＴＭＣＣ信号や部分受信帯域データや非部分受信帯域データや拡張帯域データ等を分離するように構成されている。
【００６２】
ＴＭＣＣ信号抽出部３３は、ＯＦＤＭフレームを構成するセグメントの１つから複数のＴＭＣＣ信号を抽出するように構成されている。例えば、ＦＦＴサイズが８ｋポイントである場合には、ＴＭＣＣ信号抽出部３３は、１個のセグメントから２個のＴＭＣＣ信号１、２を抽出するように構成されており（図４参照）、ＦＦＴサイズが１６ｋポイントである場合には、ＴＭＣＣ信号抽出部３３は、１個のセグメントから４個のＴＭＣＣ信号１〜４を抽出するように構成されており（図６参照）、ＦＦＴサイズが３２ｋポイントである場合には、ＴＭＣＣ信号抽出部３３は、１個のセグメントから８個のＴＭＣＣ信号１〜８を抽出するように構成されている（図８参照）。
【００６３】
本実施形態に係る受信装置３が、広帯域受信装置である場合は、ＴＭＣＣ信号抽出部３３は、３３若しくは３５セグメント分のＴＭＣＣ信号を抽出するように構成されており、本実施形態に係る受信装置３が、狭帯域受信装置である場合は、部分受信帯域内の９セグメント分のＴＭＣＣ信号を抽出するように構成されている。
【００６４】
フレーム同期部３４は、各セグメントにおいて対応するＴＭＣＣ信号を送信するキャリアを加算して（キャリア加算を行い）、加算した後の系列から同期ビットのパターンを探し（すなわち、加算した後の系列と同期ビットのパターンとの相関を取り）、ＴＭＣＣ信号のフレームの先頭位置を見つけフレーム同期を確立するように構成されている。
【００６５】
ＴＭＣＣ情報ビット抽出部３４は、上述のフレーム同期が確立された後、複数のＴＭＣＣ信号の各々から異なるＴＭＣＣ情報ビットを抽出するように構成されている。
【００６６】
例えば、ＦＦＴサイズが８ｋポイントである場合には、ＴＭＣＣ情報ビット抽出部３４は、ＴＭＣＣ信号１、２から異なるＴＭＣＣ情報ビット１、２を抽出するように構成されており（図４参照）、ＦＦＴサイズが１６ｋポイントである場合には、ＴＭＣＣ情報ビット抽出部３４は、ＴＭＣＣ信号１〜４から異なるＴＭＣＣ情報ビット１〜４を抽出するように構成されており（図６参照）、ＦＦＴサイズが３２ｋポイントである場合には、ＴＭＣＣ情報ビット抽出部３４は、ＴＭＣＣ信号１〜８から異なるＴＭＣＣ情報ビット１〜８を抽出するように構成されている（図８参照）。
【００６７】
本実施形態に係る放送システム１によれば、１つのセグメント内で、複数の階層データを受信するために必要な多くの伝送パラメータを伝送することが可能となる。
【００６８】
また、本実施形態に係る放送システム１によれば、各セグメントにおいて同じＴＭＣＣ情報ビットが伝送されているため、複数のセグメントを受信することで、キャリア加算によるダイバーシティ利得が得られる。
【００６９】
さらに、本実施形態に係る放送システム１によれば、次世代の地上デジタル放送伝送方式では、９個のセグメントの部分受信帯域が最小受信帯域幅となるため、最低でも９キャリアのダイバーシティ受信が可能であり、また、１個のセグメント当たり２個の同期ビットが含まれるため、９個のセグメントの部分受信帯域の場合、１８個のキャリア加算が可能となる。
【００７０】
（変更例１）
以下、図１０〜図１１を参照して、本発明の変更例１に係る放送システムについて、上述の第１の実施形態に係る放送システムとの相違点に着目して説明する。
【００７１】
本変更例１に係る放送システムでは、図１０に示すように、部分受信帯域内のＴＭＣＣ信号に含まれるＴＭＣＣ情報ビットは、非部分受信帯域内のＴＭＣＣ信号に含まれるＴＭＣＣ情報ビットと異なるように構成されている。
【００７２】
或いは、本変更例１に係る放送システムでは、全ての帯域（部分受信帯域及び非部分受信帯域）内のＴＭＣＣ信号に含まれるＴＭＣＣ情報ビットは同一となるように構成されていてもよい。
【００７３】
ここで、部分受信帯域データのみを受信するように構成されている受信装置（狭帯域受信装置）３では、９個のセグメント分の部分受信帯域内のＴＭＣＣ信号を送信するキャリアを取得することができる。
【００７４】
ＦＦＴサイズが８ｋポイント（８，１９２ポイント）である場合で、且つ、図４に示す構成でＴＭＣＣ信号を伝送する場合、１つのセグメント内の２本のＴＭＣＣ信号１〜２を全て使用してＴＭＣＣ情報ビット１〜２を伝送している。
【００７５】
かかる場合、受信装置３は、９セグメント分のＴＭＣＣ信号を使用することができるため、９個のキャリア加算による復号が可能となるが、伝送路状態が極めて劣悪な場合等は、更なる安定受信が求められる。
【００７６】
全帯域を受信することができる受信装置（広帯域受信装置）３では、３５個のセグメント分のＴＭＣＣ信号を使用することができるため、３５個のキャリア加算が可能となり、十分な受信特性が期待できるが、限られた９個のセグメントを受信する部分受信帯域では加算できる可能なキャリアの数も限られていた。
【００７７】
また、部分受信帯域は、狭帯域で受信したい１つ（若しくは複数）の階層データのみを伝送するために用いられる。
【００７８】
そこで、部分受信帯域内のＴＭＣＣ信号は、狭帯域で受信したい階層データに係る伝送パラメータに限定して伝送するものとする。例えば、Ａ階層データを部分受信帯域で伝送したい場合は、部分受信帯域内のＴＭＣＣ信号にて、同期ビットやシステム全体に係る伝送パラメータやＡ階層データに係る伝送パラメータのみを伝送する、すなわち、Ｂ階層データ及びＣ階層データに係る伝送パラメータについては伝送しない。
【００７９】
このように構成することで、部分受信帯域内のＴＭＣＣ情報ビットは、図１１に示すように、１本のＴＭＣＣ信号内のみで情報を完結することができるため、１セグメント当たり２ペアのＴＭＣＣ情報ビットを伝送することができ、９個のセグメントでは、１８個のキャリア加算が可能となる。
【００８０】
これは、前述の９個のキャリア加算に比べて加算数が２倍になるために、約３ｄＢの受信特性改善効果が得られることになる。この場合、狭帯域受信装置は、非部分受信帯域内のＴＭＣＣ信号を含むキャリアについて２６個のセグメント分を用いて復号を行う。
【００８１】
すなわち、本変更例１に係る放送システムでは、１つのセグメント内の複数のＴＭＣＣ信号の各々は、同じＴＭＣＣ情報ビットを含むように構成されている。
【００８２】
また、本変更例１において、同期ビットに関しては全ての帯域で共通のものとなるので、フレーム同期に関しては全ての帯域での受信が可能となる。
【００８３】
なお、上述では、部分受信帯域内のセグメント数を「９」のケースを例に挙げて説明したが、本発明は、かかるケース以外のケースに対しても適用可能である。
【００８４】
（変更例２）
以下、図１２〜図３２を参照して、本発明の変更例２に係る放送システムについて、上述の第１の実施形態に係る放送システムとの相違点に着目して説明する。
【００８５】
ここで、本変更例２に係る放送システムでは、図１０に示すように、部分受信帯域内のＴＭＣＣ信号に含まれるＴＭＣＣ情報ビットは、非部分受信帯域内のＴＭＣＣ信号に含まれるＴＭＣＣ情報ビットと異なるように構成されている。
【００８６】
なお、本変更例２に係る放送システムは、３５セグメントからなる５．８３ＭＨｚの伝送帯域を使用するように構成されている。
【００８７】
具体的には、本変更例２に係る放送システムでは、１チャネル内の中央の９個のセグメントからなる部分受信帯域において部分受信帯域データ（１２２ビットのＴＭＣＣ情報ビット）が送信されるように規定されており、かかる部分受信帯域の両外側に配置された２６個のセグメントからなる非部分受信帯域において非部分受信帯域データ（２４４ビットのＴＭＣＣ情報ビット）が送信されるように規定されている。
【００８８】
以下、図１２〜図３０を参照して、本変更例２に係る送信装置１のＴＭＣＣ情報ビット生成部１１によって生成される非部分受信帯域データ（２４４ビットのＴＭＣＣ情報ビット）に含まれる情報要素の一例について説明し、図３１〜図３２を参照して、本変更例２に係る送信装置１のＴＭＣＣ情報ビット生成部１１によって生成される部分受信帯域データ（１２２ビットのＴＭＣＣ情報ビット）に含まれる情報要素の一例について説明する。
【００８９】
本変更例２では、図１２に示すように、例えば、非部分受信帯域データ（２４４ビットのＴＭＣＣ情報ビット）は、ビットＡ０〜Ａ２４３の２４４ビットから構成されており、情報要素として「システム識別」と「伝送帯域識別」と「ＴＭＣＣ情報更新フラグ」と「伝送パラメータ切り替え指標」と「カレント情報／ネクスト情報」と「Ａ階層ＦＥＣブロックポインタ」と「Ｂ階層ＦＥＣブロックポインタ」と「Ｃ階層ＦＥＣブロックポインタ」とを有している。
【００９０】
「システム識別」は、ビットＡ０〜Ａ１の２ビットから構成されており、図１３に示すように、本変更例２に係る放送システムが本仕様によるシステム（すなわち、次世代の地上デジタル放送伝送方式）に対応しているか否かについて示す。「システム識別」に「００」が設定されている場合、本変更例２に係る放送システムが本仕様によるシステム（すなわち、次世代の地上デジタル放送伝送方式）に対応していることを示す。
【００９１】
「伝送帯域識別」は、ビットＡ２〜Ａ３の２ビットから構成されており、図１４に示すように、ノーマルモード及び互換モードを少なくとも識別することができる識別情報である。
【００９２】
「伝送帯域識別」に「０１」が設定されている場合、本変更例２に係る放送システムがノーマルモードによって運用されていることを示し、「伝送帯域識別」に「１０」が設定されている場合、本変更例２に係る放送システムが拡張モードによって運用されていることを示す。
【００９３】
なお、本変更例２では、ノーマルモードは、３５セグメントからなる５．８３ＭＨｚの伝送帯域を使用し、互換モードは、３３セグメント及び調整帯域からなる５．５７ＭＨｚの伝送帯域を使用するように構成されている。
【００９４】
「ＴＭＣＣ情報更新フラグ」は、ビットＡ４の１ビットから構成されており、図１５に示すように、ＴＭＣＣ情報ビットが更新されているか否かについて示す。「ＴＭＣＣ情報更新フラグ」に「０」が設定されている場合、かかるＴＭＣＣ情報ビットが更新されていないことを示し、「ＴＭＣＣ情報更新フラグ」に「１」が設定されている場合、かかるＴＭＣＣ情報ビットが更新されていることを示す。ここで、更新しているか否かは、ビットＡ４以降でＦＥＣブロックポインタを除いたビットを対象としている。
【００９５】
「伝送パラメータ切り替え指標」は、ビットＡ５〜Ａ９の５ビットから構成されており、図１６に示すように、伝送パラメータに変更が生じた場合、ネクスト情報として新しい伝送パラメータがセットされるが、ネクスト情報へ切り替わる３１フレーム前から切り替えのカウントダウンをする機能である。
【００９６】
また、後述の「カレント情報／ネクスト情報」においては、「カレント情報」及び「ネクスト情報」のどちらの情報を伝送しているのかを判定する必要があり、通常は「カレント情報」を伝送し、「ネクスト情報」は切り替えが生じたときのみ伝送するものとしている。特に「伝送パラメータ切り替え指標」が切り替えの偶数フレーム前を示しているときには、「カレント情報／ネクスト情報」では、「ネクスト情報」を送り、奇数フレーム前を示している時には「カレント情報」を伝送する機能を有する。以上のように、切り替えのカウントダウンが始まると１フレーム毎にカレント情報とネクスト情報を切り替えて伝送する機能を有している。
【００９７】
「カレント情報／ネクスト情報」は、ビットＡ１０〜Ａ１０３の９４ビットから構成されており、前述の通り、通常は「カレント情報」を示し、「伝送パラメータ切り替え指標」においてカウントダウンが開始された場合にのみ、「ネクスト情報」と「カレント情報」を交互に示す。図１２に示すように、「カレント情報／ネクスト情報」は、情報要素として、「部分受信フラグ」と「Ａ階層伝送パラメータ」と「Ｂ階層伝送パラメータ」とを有している。
【００９８】
「部分受信フラグ」は、ビットＡ１０の１ビットから構成されており、図１７に示すように、本変更例２に係る放送システムにおいて部分受信（すなわち、部分受信帯域における部分受信帯域データの送信）が行われているか否かについて示す。「部分受信フラグ」に「０」が設定されている場合、本変更例２に係る放送システムにおいて部分受信が行われていないことを示し、「部分受信フラグ」に「１」が設定されている場合、本変更例２に係る放送システムにおいて部分受信が行われていることを示す。
【００９９】
「Ａ階層伝送パラメータ」は、ビットＡ１１〜Ａ４１の３１ビットから構成されており、「Ｂ階層伝送パラメータ」は、ビットＡ４２〜Ａ７２の３１ビットから構成されており、「Ｃ階層伝送パラメータ」は、ビットＡ７３〜Ａ１０３の３１ビットから構成されており、各階層データに対して適用される伝送パラメータを示す。
【０１００】
「Ａ階層伝送パラメータ」、「Ｂ階層伝送パラメータ」及び「Ｃ階層伝送パラメータ」は、それぞれ、図１８に示すように、情報要素として、「ＳＩＳＯ／ＭＩＳＯ／ＭＩＭＯフラグ」と「セグメント数」と「キャリア変調方式」と「コンスタレーション識別」と「誤り訂正符号長」と「ＬＤＰＣ符号化率」と「時間インターリーブ長」と「データキャリアブースト比」と「ＳＰパターン」と「パイロット符号化」と「全キャリアパイロットフラグ」と「ＦＥＣポインタ」とを有している。
【０１０１】
「ＳＩＳＯ／ＭＩＳＯ／ＭＩＭＯフラグ」は、３ビットによって構成されており、図１９に示すように、本変更例２に係る放送システムにおいて対象の階層データに対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示す。
【０１０２】
「ＳＩＳＯ／ＭＩＳＯ／ＭＩＭＯフラグ」に「０００」が設定されている場合、本変更例２に係る放送システムにおいて対象の階層データに対してＳＩＳＯが用いられていることを示し、「ＳＩＳＯ／ＭＩＳＯ／ＭＩＭＯフラグ」に「００１」が設定されている場合、本変更例２に係る放送システムにおいて対象の階層データに対してＭＩＳＯ（ＳＦＢＣ）が用いられていることを示し、「ＳＩＳＯ／ＭＩＳＯ／ＭＩＭＯフラグ」に「０１０」が設定されている場合、本変更例２に係る放送システムにおいて対象の階層データに対してＭＩＳＯ（ＳＴＢＣ）が用いられていることを示し、「ＳＩＳＯ／ＭＩＳＯ／ＭＩＭＯフラグ」に「０１１」が設定されている場合、本変更例２に係る放送システムにおいて対象の階層データに対してＭＩＭＯ（ＳＤＭ）が用いられていることを示す。
【０１０３】
ここで、ＳＩＳＯは、Ｓｉｎｇｌｅ−Ｉｎｐｕｔ  Ｓｉｎｇｌｅ−Ｏｕｔｐｕｔの略称あり、ＭＩＳＯは、Ｍｕｌｔｉ−Ｉｎｐｕｔ  Ｓｉｎｇｌｅ−Ｏｕｔｐｕｔの略称であり、ＭＩＭＯは、Ｍｕｌｔｉ−Ｉｎｐｕｔ  Ｍｕｌｔｉ−Ｏｕｔｐｕｔの略称であり、ＳＦＢＣは、Ｓｐａｃｅ−Ｆｒｅｑｕｅｎｃｙ  Ｂｌｏｃｋ  Ｃｏｄｅの略称であり、ＳＴＢＣは、Ｓｐａｃｅ−Ｔｉｍｅ  Ｂｌｏｃｋ  Ｃｏｄｅの略称であり、ＳＤＭは、Ｓｐａｃｅ  Ｄｉｖｉｓｉｏｎ  Ｍｕｌｔｉｐｌｅｘｉｎｇの略称である。
【０１０４】
「セグメント数」は、６ビットによって構成されており、図２０に示すように、対象の階層データの送信に用いられるセグメント数を示す。
【０１０５】
「キャリア変調方式」は、３ビットによって構成されており、図２１に示すように、本変更例２に係る放送システムにおいて対象の階層データに対して用いられているキャリア変調方式を示す。
【０１０６】
「キャリア変調方式」に「０００」が設定されている場合、本変更例２に係る放送システムにおいて対象の階層データに対してＱＰＳＫが用いられていることを示し、「キャリア変調方式」に「００１」が設定されている場合、本変更例２に係る放送システムにおいて対象の階層データに対して１６ＱＡＭが用いられていることを示し、「キャリア変調方式」に「０１０」が設定されている場合、本変更例２に係る放送システムにおいて対象の階層データに対して６４ＱＡＭが用いられていることを示し、「キャリア変調方式」に「０１１」が設定されている場合、本変更例２に係る放送システムにおいて対象の階層データに対して２５６ＱＡＭが用いられていることを示し、「キャリア変調方式」に「１００」が設定されている場合、本変更例２に係る放送システムにおいて対象の階層データに対して１０２４ＱＡＭが用いられていることを示し、「キャリア変調方式」に「１０１」が設定されている場合、本変更例２に係る放送システムにおいて対象の階層データに対して４０９６ＱＡＭが用いられていることを示す。
【０１０７】
「コンスタレーション識別」は、１ビットによって構成されており、図２２に示すように、本変更例２に係る放送システムにおいて対象の階層データに対して用いられているコンスタレーションが均一であるか否かについて示す。「コンスタレーション識別」に「０」が設定されている場合、本変更例２に係る放送システムにおいて対象の階層データに対して用いられているコンスタレーションが均一であることを示し、「コンスタレーション識別」に「１」が設定されている場合、本変更例２に係る放送システムにおいて対象の階層データに対して用いられているコンスタレーションが不均一であることを示す。
【０１０８】
「誤り訂正符号長」は、２ビットによって構成されており、図２３に示すように、本変更例２に係る放送システムにおいて対象の階層データに対して用いられている誤り訂正符号長を示す。「誤り訂正符号長」に「００」が設定されている場合、本変更例２に係る放送システムにおいて対象の階層データに対してＳｈｏｒｔタイプの誤り訂正符号が用いられていることを示し、「誤り訂正符号長」に「０１」が設定されている場合、本変更例２に係る放送システムにおいて対象の階層データに対してＭｉｄｄｌｅタイプの誤り訂正符号が用いられていることを示し、「誤り訂正符号長」に「１０」が設定されている場合、本変更例２に係る放送システムにおいて対象の階層データに対してＬｏｎｇタイプの誤り訂正符号が用いられていることを示す。
【０１０９】
「ＬＤＰＣ符号化率」は、４ビットによって構成されており、図２４に示すように、本変更例２に係る放送システムにおいて対象の階層データに対して用いられるＬＤＰＣ（Ｌｏｗ−Ｄｅｎｓｉｔｙ  Ｐａｒｉｔｙ−ｃｈｅｃｋ  Ｃｏｄｅ）符号化率を示す。
【０１１０】
「時間インターリーブ長」は、３ビットによって構成されており、図２５に示すように、本変更例２に係る放送システムにおいて対象の階層データに対して用いられる時間インターリーブ長を示す。
【０１１１】
「データキャリアブースト比」は、３ビットによって構成されており、図２６に示すように、本変更例２に係る放送システムにおける対象の階層データの電力ブースト比を示す。例えば、「Ａ階層伝送パラメータ情報」の「データキャリアブースト比」に「０１０（３ｄＢ）」が設定され、「Ｂ階層伝送パラメータ情報」の「データキャリアブースト比」に「０００（０ｄＢ）」が設定されている場合、Ａ階層におけるデータキャリアは、通常のキャリア変調レベルに対して３ｄＢ高いレベルで変調され、Ｂ階層におけるデータキャリアは、通常のキャリア変調レベルで変調される。
【０１１２】
「ＳＰパターン」は、４ビットによって構成されており、図２７に示すように、本変更例２に係る放送システムにおいて対象の階層データに対して用いられているＳＰ（Ｓｃａｔｔｅｒｅｄ  Ｐｉｌｏｔ）パターンを示す。
【０１１３】
「パイロット符号化」は、２ビットによって構成されており、図２８に示すように、本変更例２に係る放送システムにおいて対象の階層データに対して用いられているパイロット符号化方式を示す。「パイロット符号化」に「０」が設定されている場合、本変更例２に係る放送システムにおいて対象の階層データに対して符号反転方式が用いられていることを示し、「パイロット符号化」に「１」が設定されている場合、本変更例２に係る放送システムにおいて対象の階層データに対してヌル方式が用いられていることを示す。
【０１１４】
「全キャリアパイロットフラグ」は、１ビットによって構成されており、図２９に示すように、本変更例２に係る放送システムにおいて対象の階層データに対して全キャリアパイロットが用いられているか否かについて示す。「全キャリアパイロットフラグ」に「０」が設定されている場合、本変更例２に係る放送システムにおいて対象の階層データに対して全キャリアパイロットが用いられていないことを示し、「全キャリアパイロットフラグ」に「１」が設定されている場合、本変更例２に係る放送システムにおいて対象の階層データに対して全キャリアパイロットが用いられていることを示す。
【０１１５】
「Ａ階層ＦＥＣブロックポインタ」は、ビットＡ１０４〜Ａ１２１の１８ビットから構成されており、「Ｂ階層ＦＥＣブロックポインタ」は、ビットＡ１２２〜Ａ１３９の１８ビットから構成されており、「Ｃ階層ＦＥＣブロックポインタ」は、ビットＡ１４０〜Ａ１５７の１８ビットから構成されている。
【０１１６】
図３０に示すように、「Ａ階層ＦＥＣブロックポインタ」、「Ｂ階層ＦＥＣブロックポインタ」及び「Ｃ階層ＦＥＣブロックポインタ」は、それぞれ、ＬＤＰＣ符号長ＬＯＮＧまで考慮して、１８ビットで、ＦＥＣブロックポインタを示す。「Ａ階層ＦＥＣブロックポインタ」、「Ｂ階層ＦＥＣブロックポインタ」及び「Ｃ階層ＦＥＣブロックポインタ」は、それぞれ、最大で２６２，１４４（２１８）まで指示でき、ＦＥＣブロックのビット単位若しくはキャリアシンボル単位で指示する。キャリアシンボル単位での指示の場合、例えば、キャリア変調方式としてＱＰＳＫ（２ビット伝送）が用いられている場合、２６２，１４４キャリアシンボルまで対応できるので、最大符号長としては、５２４，２８８ビットのものまで対応できることになる。
【０１１７】
本変更例２では、図３１に示すように、例えば、部分受信帯域データ（１２２ビットのＴＭＣＣ情報ビット）は、ビットＡ０〜Ａ１２１の１２２ビットから構成されており、情報要素として「システム識別」と「伝送帯域識別」と「ＴＭＣＣ情報更新フラグ」と「伝送パラメータ切り替え指標」と「カレント情報／ネクスト情報」と「Ａ階層ＦＥＣブロックポインタ」とを有している。
【０１１８】
ここで、「システム識別」、「伝送帯域識別」、「ＴＭＣＣ情報更新フラグ」及び「伝送パラメータ切り替え指標」は、上述の非部分受信帯域データ（２４４ビットのＴＭＣＣ情報ビット）における「システム識別」、「伝送帯域識別」、「ＴＭＣＣ情報更新フラグ」及び「伝送パラメータ切り替え指標」と同一である。
【０１１９】
「カレント情報／ネクスト情報」は、図３１に示すように、ビットＡ１０〜Ａ４２の３３ビットから構成されており、情報要素として、「部分受信フラグ」と「Ａ階層伝送パラメータ」と「部分受信インターリーブ」とを有している。
【０１２０】
ここで、「部分受信フラグ」及び「Ａ階層伝送パラメータ」は、上述の非部分受信帯域データ（２４４ビットのＴＭＣＣ情報ビット）における「部分受信フラグ」及び「Ａ階層伝送パラメータ」と同一である。
【０１２１】
「部分受信インターリーブ」は、ビットＡ４２の１ビットから構成されており、図３２に示すように、本変更例２に係る放送システムにおいてＡ階層データに対して用いられている部分受信インターリーブの種類を示す。「部分受信インターリーブ」に「０」が設定されている場合、本変更例２に係る放送システムにおいてＡ階層データに対してキャリア単位インターリーブが用いられていることを示し、「部分受信インターリーブ」に「１」が設定されている場合、本変更例２に係る放送システムにおいてＡ階層データに対してセグメント単位インターリーブが用いられていることを示す。
【０１２２】
「Ａ階層ＦＥＣブロックポインタ」は、上述の非部分受信帯域データ（２４４ビットのＴＭＣＣ情報ビット）における「Ａ階層ＦＥＣブロックポインタ」と同一である。
【０１２３】
（変更例３）
以下、本発明の変更例３に係る放送システムについて、上述の第１の実施形態、変更例１及び２に係る放送システムとの相違点に着目して説明する。
【０１２４】
本変更例に係る放送システムでは、送信装置１は、ＴＭＣＣ信号のシンボルの電力を、キャリアシンボルの電力よりも高いレベルにブーストして伝送するように構成されている。ここで、ＴＭＣＣ信号のシンボルの電力とキャリアシンボルの電力とのブースト比は、１．９９であるように構成されていてもよい。
【０１２５】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【０１２６】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２７】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【０１２８】
１…送信装置
１１…ＴＭＣＣ情報ビット生成部
１１ａ…分離部
１１ｂ、１１ｃ…差集合巡回符号化部
１１ｄ…インターリーブ部
１２…同期ビット生成部
１３…ＴＭＣＣ信号生成部
１４ａ、１４ｂ…ＯＦＤＭフレーム構成部
１５ａ、１５ｂ…送信部
３…受信装置
３１…受信部
３２…デフレーム化部
３３…ＴＭＣＣ信号抽出部
３４…フレーム同期部
３５…ＴＭＣＣ情報ビット抽出部
【図１】
2019036934.tif 000003
【図２】
2019036934.tif 000004
【図３】
2019036934.tif 000005
【図４】
2019036934.tif 000006
【図５】
2019036934.tif 000007
【図６】
2019036934.tif 000008
【図７】
2019036934.tif 000009
【図８】
2019036934.tif 000010
【図９】
2019036934.tif 000011
【図１０】
2019036934.tif 000012
【図１１】
2019036934.tif 000013
【図１２】
2019036934.tif 000014
【図１３】
2019036934.tif 000015
【図１４】
2019036934.tif 000016
【図１５】
2019036934.tif 000017
【図１６】
2019036934.tif 000018
【図１７】
2019036934.tif 000019
【図１８】
2019036934.tif 000020
【図１９】
2019036934.tif 000021
【図２０】
2019036934.tif 000022
【図２１】
2019036934.tif 000023
【図２２】
2019036934.tif 000024
【図２３】
2019036934.tif 000025
【図２４】
2019036934.tif 000026
【図２５】
2019036934.tif 000027
【図２６】
2019036934.tif 000028
【図２７】
2019036934.tif 000029
【図２８】
2019036934.tif 000030
【図２９】
2019036934.tif 000031
【図３０】
2019036934.tif 000032
【図３１】
2019036934.tif 000033
【図３２】
2019036934.tif 000034